(57)【要約】【課題】  暗い、強風、視力が弱い、非力でも手軽に素早く糸通しが出来、ループ１６を作ればラインと道具類が簡単に素早くワンタッチで脱着出来る連結具の提供。【解決手段】  本考案のワンタッチで脱着出来る連結具は、Ｕ字型半円の折り返し部分を使って開閉部分３を作り、力点部分４とバネ部分５で適切な閉塞圧力を開閉部分３作用点部分２に与え、Ｕ字型半円の支点部分７と主軸部分９、でロングホール６を形成出来、開閉部分３からラインの糸通しが可能で、通したラインを支点部分７で結縛すれば連結具になり、ラインを結縛しない場合はロングホールにラインがフリー状態となり移動する距離を自由に設定する使い分けが出来、更に輪を作って使用すればワンタッチ方式で脱着自在の連結具となる形状を左右に設け、それに弾性可動外れ止め１１で開閉部分３からのラインが外れない形状を作っている。【選択図】図５
0003139626.tif 000002
【実用新案登録請求の範囲】
【請求項１】
Ｕ字型半円の折り返し部分を使って開閉部分３を作り、力点部分４とバネ部分５で適切な閉塞圧力を作用点部２に与え、Ｕ字型半円の支点部分７と主軸部分９、でロングホール６を形成する事で、開閉部分３からラインを切らずにホールイン（穴入れ）できライン上をロングホール６を使い行き来が自由となり、移動使用したい場合有効で、固定したい場合は支点部分７で結縛すれば連結具となるワンタッチで脱着出来る連結具。
【請求項２】
請求項１に関連して本考案にループを作ったラインを使えばラインを切る事無く素早く自在に脱着が出来る特徴を持ち合わせたワンタッチで脱着出来る連結具。
【請求項３】
請求項１に関連して本考案が直線部分のロングホールを持つ事で幅員を狭めても長さによってライン遊びが出来、ラインのすべり効果も格別に良く成った上に、ウキを繋げた場合に通常シモリをラインに通して無ければウキ止め糸では止まらずに貫通するが、本考案具のロングホール幅員はウキ止め糸だけで止まる、真円と違う長さと狭い幅員を持つワンタッチで脱着出来る連結具。
【請求項４】
請求項１に関連して本考案の末端部分１がライン外れを起こさないテーパー形状で有る事と、支点部分７の手前のロングホール途中で末端を迎える事で、ラインが支点部分に至る手前でロングホール６にラインイン、ループの場合は装着できる主軸部分９が長く作用点部分２が短い関係が持つラインにストレスを与えない長短関係の形状を持つワンタッチで脱着出来る連結具。
【請求項５】
請求項１に関連して本考案の左右対象となる片側だけを各種道具類、例えばエギ、ルアー等に装着した場合も自在脱着や簡単ラインイン（糸通し）の効力を発揮するワンタッチで脱着出来る連結具。
【請求項６】
請求項１に関連して本考案の左右対象となる片側部分の末端部分を中心に二重の複線を使った場合の実施例で、ラインは傷が入ると非常に弱くなりすぐ切れてしまうが二重にする事でラインが触れる部分に全く切れ目が無くてラインにストレスを与えない上、接する面積が２点と拡大すると同時に閉塞圧力も分散するので非常にライン通りがソフトに成る二重の複線のワンタッチで脱着出来る連結具。
【請求項７】
請求項１に関連して本考案の左右対象となる片側部分の足と成る主軸末端部分を球型形状にする事で狭いスペースでの回転が可能と成るし軽量化にも繋がるワンタッチで脱着出来る連結具。
【考案の詳細な説明】
【技術分野】
【０００１】  本考案は、実施例に記入した様な色々な道具類に装着すればラインを切る事無くワンタッチで糸通し出来、ライン上の往来がフリーとなり、結縛を行えば連結が出来るワンタッチ式連結具で、更にラインにループを作ればワンタッチで簡単に素早く確実に脱着出来る連結具である。
【背景技術】
【０００２】  最近は釣れなく成って来た事で、ラインの大きさを一日に何回も張り替えたり、色々なアイテムを使用した多種多様の釣法が開発されてラインを切ったり結んだりと言った作業が多くなって来た、多くの魚を手にするには仕方が無い作業ではあるが老眼や非力と言った身体的な衰えや天候等の影響もあり簡単にはいかない。【０００３】  従来の釣り糸連結具の中で今回私が抱えている問題を解決してゆく為に、下記記載の特許文献の先行技術がある。
【特許文献１】特開２００５−０４６１３４号公報
【特許文献２】特開２００５−１９２５０７号公報
【特許文献３】特開２００４−３５７６８８号公報
【特許文献４】特開２００５−０６５６６２号公報
【特許文献５】特開２００１−１２０１３６号公報
【考案の開示】
【考案が解決しようとする課題】
【０００４】  以前の問題は、穴に差し込む（通す）と言う作業が全ての物に記載されており、周知の様に釣糸を連結させる物だけに、小さな抵抗の少ない物と成りしたがってラインを通す穴も非常に小さな訳で、色々な条件下でその小さな穴に通す事が疑問である。【０００５】  例えば朝夕の時間や、曇り、雨降りの場合等は光量不足で見づらい、視力の弱い方や年齢的状態（老眼）で見えづらく苦労するし視力の有る方でもラインを切断して小さな穴を通す事に時間と手間がかかる。【０００６】  ラインを切断しなくても脱着出来る物も有るが色々手順が有って時間がかかる上、より早い脱着作業を求められる場合等でも技術的に無理がある。【０００７】  付け替え、取り替えの手間を考えると替える行為自体が大変だと思うので、上記何れの条件下でも簡単にワンタッチで脱着や連結が出来るワンタッチで脱着出来る連結具を提供する事を目的とする。
【課題を解決するための手段】
【０００８】  上記目的を達成する為に、Ｕ字型半円の折り返し部分を使って開閉部分３を作り、力点部分４とバネ部分５で適切な閉塞圧力を作用点部２に与え、Ｕ字型半円の支点部分７と主軸部分９、でロングホール６を形成する車で、ラインを輪にして持って開閉部分３にあてて輪を支点部分７に向けて引く事で誰でもが簡単にロングホール６に穴入れ出来るし、ライン上で本考案品を装備した道具はロングホール６を使い自由に行き来が出来るので、移動が必要と成る道具に対応出来るし、支点部分７で結縛すれば連結具ともなるワンタッチで脱着出来る連結具である。【０００９】  本考案ワンタッチで脱着出来る連結具は、ループを作ったラインを使えばラインを切る事無く、開閉部分３より簡単に素早く確実に脱着（外し入れ）が出来る特徴を持ち合わせた連結具である。【００１０】  本考案ワンタッチで脱着出来る連結具は、直線部分のロングホールを持つ事でラインのゆれが生まれて遊びが出来る事で、ラインのすベり効果も同じ幅員を持つ円形ホールと比べると格段に良く成ったポイントは、長さと半円型のミックスされた形状である。【００１１】  本考案ワンタッチで脱着出来る連結具は、末端部分１がライン外れを起こさない先細り半円の角取りテーパー形状で有る事でライン接点が常に半円の面に接する負担が少ない形状で、支点部分７の手前のロングホール途中で末端を迎える事で、ラインが支点部分に至る手前でロングホール６に糸通し出来てループの場合は装着できる主軸部分９が長く作用点部分２が短い関係が持つラインにストレスを与えない長短関係と半円テーパーを特徴に持つ形状である。【００１２】  本考案ワンタッチで脱着出来る連結具は、左右対象となる片側だけを各種道具類、例えばエギ、ルアー等に装着した場合も瞬時の脱着が様々な悪条件下でも簡単に糸通しの効力が発揮できる連結具である。【００１３】  本考案ワンタッチで脱着出来る連結具は、ロングホール幅員の関係でラインとウキを繋げた場合に通常シモリ２４をラインに通してなければラインに通したウキ１９は、ウキ止め糸１８では止まらずにウキ穴を貫通してしまい役に立たないが、本考案具のロングホール幅員は狭くても上記で記載した様な滑り効果の特徴を持っているので十分な通過能力を与えラインは楽々と通るし、ウキ止め糸だけの抵抗でウキまで届けるのでシモリ分の抵抗が軽減出来より速くウキまで行き着ける狭い幅員効果である。【００１４】  本考案ワンタッチで脱着出来る連結具の末端部分１を中心に主軸部分９で両サイド折り返した場合の実施例で、物と合体（装着）する部分である主軸以外には全く切れ目が無くなり末端部分１を中心にする事で開閉部分３と作用点部分２が同時に二ヶ所で存在する事で閉塞圧力を分散出来てラインにストレスを感じさせない上に、主軸部分９が両サイドを囲む形と成り外れ止め具不要となる事に加えて、二本の主軸部分９で左右対称に足を広げる事ができバランス良い形状のワンタッチで脱着出来る連結具である。【００１５】  本考案ワンタッチで脱着出来る連結具は、左右対象となる片側部分の足と成る主軸末端部分を球型形状にする事と全体中心に置く事で狭いスペース内での回転が可能と成るし軽量化にも繋がるものである。
【考案の効果】
【００１６】  この考案によって色々な道具に装備させれば、視力が薄い方、老眼の方、女性を含む非力な方、指先が器用でない方でも、早朝や夕暮れ時、強風の中、雨が降っていても、本考案具を装備した道具とラインの脱着は瞬時に簡単に確実に行えるし、道糸とハリス等の連結も同条件下でロングホール６に簡単に糸入れが行え、ループを使用すれば脱着が素早く、簡単に、確実にワンタッチで脱着出来る連結具である。
【考案を実施するための最良の形態】
【００１７】  以下この考案である釣糸のワンタッチ式脱着自在連結具の実施形態について、図面に基づいて詳細に説明します。【００１８】  図１はこの考案の平面図、図２はその下観図、図３はその上観図、図４は図１右側にライン１０やループ１６が入る状態に弾性可動外れ止め８をセットした透視図、図５はその弾性可動外れ止め８を使用時のラインが外れない定位置に移動した平面透視図、図６は本考案にゴム管１１を使い全体を覆った平面透視図、図７はゴム管１１にシーアンカー１３を組み合わせて潮乗りを良くして使用する平面透視図、図８は他の実施例で、この考案を２本の主軸を使ってスイベルと合体使用した平面透視図、図９は更に他の実施例で、釣竿に合体させた平面透視図、図１０は更に他の物に合体させた実施例でエギやルアー等に装着して使用した平面図、図１１は、図１０に外れ防止にゴム管１１を装着した平面図、図１２はこの考案のループ１６の取り付け手順を表した図、図１３は逆にループ１６を外す場合の図、図１４は図９の他の実施例で、この考案を二重折り使用した場合の下観図、図１５はその上観図です。図１６はラインとラインの連結と個体に装着して使用した場合を全体図的に捕らえた図、図１７、図１８、図１９は本考案の変形パターン例を上げた図
【実施例】
【００１９】  図１及び図２，図３、はこの釣糸のワンタッチ式脱着自在連結具の色々な角度から、糸絡みや外れのない全体の形状を表したもので、図４は右側にラインを結縛した状態で、この後に左側に有る弾性可動外れ止め８は反対に移動、図５左ロングホール６にループ１６が開閉部分３からロングホール６にセット後、外れない様に弾性可動外れ止め８をラインの出入り口の開閉部分３にセットした図、図６、図７は弾性可動外れ止めと異なる潮の流れをつかまえる働きを持たす組み合わせ例で全体を覆う事でライン外れを防止しする。【００２０】  図８はワンタッチで脱着出来る連結具の半分の形を一本の線で折り返し使用して二本で作成した場合、末端部分１を中心とし両サイドを主軸部分９で挟んだ形を作る事で作用点部分２と開閉部分３が同時に２箇所を有し、単線と比較した場合は複線になる事で線形を小さく出来るのでラインの負担は軽減され更にライン出入り時の接点面積が２箇所と倍化する事で更に負担が軽減出来て、最終通過地点の末端部分１も単線と違い折り返している事で円形となりラインストレスが殆ど無い事が特筆出来る上に、開閉部分３から末端部分１までの両サイドを主軸部分でカバー出来るので外れ対策不要となる上、二本の足を持つ事で左右対称に足を広げる事が出来てスイベル等が役割とする回転バランスを保つ形状である【００２１】  図９は竿先に使った場合で単線形状ですが主軸部分がセンターに来てバランスを取っていますおり、足と成る主軸末端部分を球型形状にする事で狭いスペースでの回転が可能と成り、軽量化にも繋がり竿本来のポテンシャルが発揮できるし例えば図８の主軸を二重に使ったスイベルにも主軸部分との連結部分を半円にし一つの主軸とすれば回転を必要とする場合に有効な形状を現した図【００２２】  図１０はワンタッチで脱着出来る連結具をエギやルアー等に装備させた実施例で、ラインにあらかじめゴム管１１を通してループを作りロングホールに入れた平面図、図１１は図１０の外れ防止にゴム管１１が本考案具を覆った状態の平面図である。【００２３】  図１２は開閉部分３よりループア側のラインが入り、支点部分７方向にループを引く事で作用点２を経てロングホールに収まる解説図で、グレーから黒に移動する事を矢印により進行方向として示し、ア・イにより本考案具に対するラインの向きを示している、図１３は逆にアとイのラインが上下逆に変わっている事でループ自体が反転した事を示しており、開閉部分３よりループイ側のラインが入り、作用点部分２を通りロングホールにループが入る事で外れる事が出来る解説図である。【００２４】  図１４は本考案具を複線で製作した下観図【００２５】図１５は図１４の上観図【００２６】  図１６はワンタッチ式脱着自在連結具を、ラインとラインの連結に利用した使用方法とナビウキ等に装着して使う場合のイメージを図に示した物である。【００２７】  図１７、図１８、図１９は上記各実施例では、本考案ワンタッチで脱着出来る連結具を横にした図を用いているが、先に実施例で取り上げた意外にも、縦に使っても又はＬ字状やくの字状に配置しても、左右対称の主軸部分を中心に片側を９０度あるいは１８０度回しても、主軸部分で開閉部分を覆う様な変形をさせ��も、開閉部分の力点部分形状を変えても、折り返し利用した二本線を使用した支点部分を変える配慮をしても良い事はもちろんで、その他の変形パターン例としてあげた図である。【００２８】  本考案具を作る材質についても腐食耐久性を有する物で有れば配慮をしても良い事はもちろんである。
【産業上の利用可能性】
【００２９】  本考案によれば、ループを使う事で道糸とハリスの連結に使用する事ができるし、もちろんロングホールに幾つかのハリス等を連結する事が可能な釣糸のワンタッチ式脱着自在連結具を提供する事が出来る。【００３０】  また、道糸に取り付け使用するルアー、エギ、スイベル、竿先、等と合体（装備）させておけば、道糸側にループを作れば簡単にワンタッチで脱着が自在に出来るのである。【００３１】  また、釣り糸と連結させる物で有れば殆どの道具類と適宣使用できる。【００３２】  さらに、ループを使わない場合でも、本考案具の持つ特徴で、穴に通さずラインインが出来る事により視力が弱い方でも、非力な女性でも、暗くて見えない状態でも殆どの皆さんが安心して穴（ロングホール）にラインを通す事が簡単に素早く出来る。【００３３】  釣り具に限らず、ラインを切断せずに脱着を必要とする場合にも適宣使用が出来る形状である。【００３４】  小さくシンプル形状で作るので本考案の材料としては、腐食や耐久性を要するので寿命が長く、色々な所で幅広く利用が可能で、国外でも利用される可能性が非常に高い考案である。
【図面の簡単な説明】
【００３５】
【図１】本考案の平面図
【図２】本考案の下観図
【図３】本考案の上観図
【図４】本考案の図１右側に可動弾性外れ止め（１１）をライン（１０）やループ（１６）が入る状態にセットした図
【図５】本考案の図４の可動弾性外れ止め（１１）がライン（１０）やループ（１６）が外れない位置に移動した平面図
【図６】本考案にゴム管（２５）を使い全体を覆った状態の平面図
【図７】本考案にゴム管（２５）に加えてシーアンカー（１３）を組み合わせ、潮乗りを良くして使用する図
【図８】本考案の他の実施例で、この考案をスイベルと合体して使用した平面図
【図９】本考案の更に他の実施例で、釣竿の穂先に合体させて使用した平面透視図
【図１０】本考案の更にエギやルアー等に合体させた実施例で、ゴム管（２５）をライン（１０）にあらかじめセットして状態の平面図
【図１１】本考案の図１０に外れ防止の為にゴム管を装着した状態の平面図
【図１２】本考案の、ループの取り付けを行う手順の図
【図１３】本考案を外す場合の手順の図
【図１４】本考案のライン同士の連結と個体に装着して使用した場合を全体図的に捕らえた実施例図
【図１５】本考案の図８・図９の他の実施例で、この考案を二重折りした場合の平面図
【図１６】本考案の図１５その背面図
【図１７】本考案の変形パターン上観図
【図１８】本考案の変形パターン平面図
【図１９】本考案の変形パターン平面図
【符号の説明】
【００３６】  １  末端部分
２  作用点部分
３  開閉部分
４  力点部分
５  バネ部分
６  ロングホール
７  支点部分
８  弾性可動外れ止め
９  主軸部分
１０  ライン
１１  ゴム管
１２  エギ・ルアー等
１３  シーアンカー（水中ウキ）
１４  ナビウキ
１５  本考案具
１６  ループ（ちちわ）
１７  ８の字結び（結び）
１８  ウキ止め糸
１９  ウキ（浮き）
２０  止め具
２１  釣り針（釣針）
２２  ロッド（竿）
２３  ロッドトップ（竿先）
２４  シモリダマ（シモリ）
２５  結縛（締め結び）
【図１】
0003139626.tif 000003
【図２】
0003139626.tif 000004
【図３】
0003139626.tif 000005
【図４】
0003139626.tif 000006
【図５】
0003139626.tif 000007
【図６】
0003139626.tif 000008
【図７】
0003139626.tif 000009
【図８】
0003139626.tif 000010
【図９】
0003139626.tif 000011
【図１０】
0003139626.tif 000012
【図１１】
0003139626.tif 000013
【図１２】
0003139626.tif 000014
【図１３】
0003139626.tif 000015
【図１４】
0003139626.tif 000016
【図１５】
0003139626.tif 000017
【図１６】
0003139626.tif 000018
【図１７】
0003139626.tif 000019
【図１８】
0003139626.tif 000020
【図１９】
0003139626.tif 000021
【手続補正書】
【提出日】平成19年4月24日(2007.4.24)
【手続補正１】
【補正対象書類名】実用新案登録請求の範囲
【補正対象項目名】全文
【補正方法】変更
【補正の内容】
【実用新案登録請求の範囲】
【請求項１】
Ｕ字型半円の折り返し部分を使って開閉部分３を作り、力点部分４とバネ部分５で適切な閉塞圧力を作用点部２に与え、Ｕ字型半円の支点部分７と主軸部分９、でロングホール６を形成する事で、開閉部分３からラインを切らずにホールイン（穴入れ）できライン上をロングホール６を使い行き来が自由となり、移動使用したい場合有効で、固定したい場合は支点部分７で結縛すれば連結具となるワンタッチで脱着出来る連結具。
【請求項２】
本考案にループを作ったラインを使えばラインを切る事無く素早く自在に脱着が出来る特徴を持ち合わせたことを特徴とする請求項１に記載のワンタッチで脱着出来る連結具。
【請求項３】
本考案が直線部分のロングホールを持つ事で幅員を狭めても長さによってライン遊びが出来、ラインのすべり効果も格別に良く成った真円と違う長さを持つことを特徴とする請求項１に記載のワンタッチで脱着出来る連結具。
【請求項４】
本考案の末端部分１がライン外れを起こさないテーパー形状で有る事と、支点部分７の手前のロングホール途中で末端を迎える事で、ラインが支点部分に至る手前でロングホール６にラインインできる主軸部分９が長く作用点部分２が短い長短関係の形状を持つことを特徴とする請求項１に記載のワンタッチで脱着出来る連結具。
【請求項５】
本考案の左右対象となる片側だけを各種道具類、例えばエギ、ルアー等に装着した場合も自在脱着や簡単ラインイン（糸通し）の効力を発揮することを特徴とする請求項１に記載のワンタッチで脱着出来る連結具。
【請求項６】
本考案の左右対象となる片側部分の末端部分を中心に二重の複線を使った場合の実施例で、ラインは傷が入ると非常に弱くなりすぐ切れてしまうが二重にする事でラインが触れる部分に全く切れ目が無くてラインにストレスを与えない上、接する面が２点と拡大すると同時に閉塞圧力も分散するのでライン通りがソフトに成ることを特徴とする請求項１に記載のワンタッチで脱着出来る連結具。
【請求項７】
本考案の左右対象となる片側部分の足と成る主軸末端部分を球型形状にする事で狭いスペースでの回転が可能と成ることを特徴とする請求項１に記載のワンタッチで脱着出来る連結具。